(57)【要約】【課題】個人認証と合わせたプレビュー画面の表示形態または視野角の設定について、ユーザごとの個別設定や、一旦設定した内容を変更することを可能とする。【解決手段】各種情報を表示する表示部である液晶パネル３２に、複数の視野角方向にそれぞれ異なる画面を同時に表示可能なマルチビュー表示機能を備えた表示装置であって、画面の視野角を制御する視野角制御部２９ａと、ユーザを認証する認証部２９ｃと、ユーザごとに予め表示モード及び／または視野角が設定登録された記憶部３５とを備え、視野角制御部２９ａは、認証部２９ｃによるユーザの認証結果に基づき、対応するユーザに設定された表示モード及び／または視野角を記憶部３５から取得し、液晶パネル３２に、取得した表示モード及び／または視野角で画面を表示する。【選択図】図５
2013120373.tif 000002
【特許請求の範囲】
【請求項１】
各種情報を表示する表示手段に、複数の視野角方向にそれぞれ異なる画面を同時に表示可能なマルチビュー表示機能を備えた表示装置であって、
前記画面の視野角を制御する視野角制御手段と、
ユーザを認証する認証手段と、
ユーザごとに予め表示モード及び／または視野角が設定登録された登録手段とを備え、
前記視野角制御手段は、前記認証手段によるユーザの認証結果に基づき、対応するユーザに設定された表示モード及び／または視野角を前記登録手段から取得し、前記表示手段に前記取得した表示モード及び／または視野角で前記画面を表示することを特徴とする表示装置。
【請求項２】
請求項１に記載の表示装置であって、
前記表示モードがマルチビュー表示モードである場合において、前記複数の視野角方向のうち中央部の視野角方向の画面に重要度の高い情報または秘匿性の高い情報の画面を表示し、前記中央部の視野角方向以外の視野角方向の画面には、前記中央部の視野角方向の画面の表示情報と異なる情報の画面を表示することを特徴とする表示装置。
【請求項３】
請求項２に記載の表示装置であって、
前記中央部の視野角方向の画面を表示する視野角は、前記中央部の視野角方向の画面以外の視野角方向の画面を表示する視野角よりも狭く設定されることを特徴とする表示装置。
【請求項４】
請求項１から請求項３までのいずれか１項に記載の表示装置であって、
前記認証手段によるユーザ認証の結果に基づいて、前記登録手段に登録されている当該ユーザの登録内容を設定変更する設定変更手段を備えたことを特徴とする表示装置。
【請求項５】
請求項１に記載の表示装置であって、
前記視野角制御手段は、前記画面の視野角を複数段階に変更自在とされており、前記登録手段には、ユーザごとに一つの段階の視野角が登録されていることを特徴とする表示装置。
【請求項６】
請求項１から請求項５までのいずれか１項に記載の表示装置と、前記表示手段に表示させる各種情報を入力する入力手段と、前記入力手段から入力された情報に基づいて用紙に画像を形成する画像形成手段と、を備えたことを特徴とする画像形成装置。
【発明の詳細な説明】
【技術分野】
【０００１】
本発明は、各種情報を表示する表示手段に、複数の視野角方向にそれぞれ異なる画面を同時に表示可能なマルチビュー表示機能を備えた表示装置及びそれを備えた画像形成装置に関する。
【背景技術】
【０００２】
従来、ＭＦＰ（Multifunction Peripheral）に代表される画像形成装置の表示部には、一般に液晶表示装置が使用されているが、表示部の視野角は固定されているのが一般的である。
【０００３】
ここで、画像形成装置の使用状態として、不特定多数の人が周囲にいる環境下で、個人情報を含む文書／書類等からコピーをとる場合や、装置内の記憶手段に蓄積した画像データを呼び出してプリントする場合等に、プレビュー機能を用いて複写物のレイアウトや仕上がり状態を確認する場合を想定する。
【０００４】
この場合、従来の画像形成装置のように、表示部の視野角が固定の装置では、ユーザの操作内容やプレビュー画面の表示内容が周囲の人から見えることがあり、セキュリティの観点からは問題があった。
【０００５】
ＭＦＰを使用するユーザは多岐に渡り、各ユーザの個性や性格も異なっている。例えば、コピー作業やメモリからの画像データのプリント作業等を行うに際し、プレビュー機能で出力物のレイアウトや仕上がり状態を確認する場合、プレビュー画面といえどもできるだけ表示内容を隠蔽したいユーザが存在する一方、プレビュー画面の表示内容に関しては周囲から見られても気にしない開放的なユーザも存在する。
【０００６】
このような使用状況に鑑みると、プレビュー画面の表示形態については、装置の前に立って操作したユーザごとに、そのユーザの好みや嗜好に合わせた表示内容や表示形態に変更するようにし、かつ、その状態を継続使用できれば便利である。または、普段はプレビュー画面の表示内容や表示形態について特別な制約条件等を設けず、特に重要度や秘匿性の高い書類の複写作業やプリント作業等を行う場合にだけ、プレビュー画面の表示内容を隠蔽することによって情報の保護を図るといった使用形態とすれば、ユーザの利便性は一層高まるものと考えられる。
【０００７】
ところで、液晶表示装置と視野角を制御できるＬＣＤ駆動部とを備え、ユーザが操作を開始するまでの待機時においては、ＬＣＤ駆動部は液晶表示装置の視野角を広視野角に制御し、ユーザが操作を開始した動作時においては、ＬＣＤ駆動部は液晶表示装置の視野角を狭視野角に制御する画像処理装置が開示されている（例えば、特許文献１参照）。
【０００８】
また、表示する情報のセキュリティに関しては、操作パネルの表示部にデュアルビュー表示が可能な液晶パネルを使用し、サービスマンが入力する認証情報に対して認証処理を行い、認証処理が成功した場合に液晶パネルの表示モードをシングルビュー表示モードからデュアルビュー表示モードに切替え、サービスマン用の設定情報の入力画面と、一般ユーザ用の初期画面とを同一パネルに表示する画像形成装置が開示されている（例えば、特許文献２参照）。
【先行技術文献】
【特許文献】
【０００９】
【特許文献１】特開２００７−８３４２５号公報
【特許文献２】特開２００８−２５６９１０号公報
【発明の概要】
【発明が解決しようとする課題】
【００１０】
特許文献１記載の画像処理装置では、画像処理装置の待機時と動作時とで表示部の視野角を変更する構成となっている。しかし、上記したように、画像処理装置（画像形成装置）は、使用するユーザが多岐に渡り、各ユーザの個性や性格も異なっているため、待機時と動作時とで表示部の視野角を変更するだけでは、その視野角が使用するユーザにとって所望する視野角での表示になっているとは言えないといった課題が残されていた。
【００１１】
一方、特許文献２記載の画像形成装置では、サービスマンの個人認証が成立した場合に、液晶表示部の表示モードをシングルビュー表示モードからデュアルビュー表示モードへ変更する構成となっている。しかし、画像形成装置を使用するユーザに対しては、このような表示モードの変更は全く考慮されていなかった。
【００１２】
すなわち、個人認証に基づいて表示モード（シングルビュー表示またはデュアルビュー表示）の個別設定を行うことや、視野角の個別設定を行うこと、さらには一旦設定した表示モードまたは視野角の個別設定をその後に変更すること、等については、上記いずれの装置においても考慮されていないため、更なる改善の余地が残されていた。
【００１３】
本発明はかかる実情に鑑みて創案されたもので、その目的は、個人認証と合わせたプレビュー画面の表示形態または視野角の設定について、ユーザごとの個別設定や、一旦設定した内容を変更することができる表示装置及びそれを備えた画像形成装置を提供することにある。
【課題を解決するための手段】
【００１４】
上記課題を解決するため、本発明の表示装置は、各種情報を表示する表示手段に、複数の視野角方向にそれぞれ異なる画面を同時に表示可能なマルチビュー表示機能を備えた表示装置であって、前記画面の視野角を制御する視野角制御手段と、ユーザを認証する認証手段と、ユーザごとに予め表示モード及び／または視野角が設定登録された登録手段とを備え、前記視野角制御手段は、前記認証手段によるユーザの認証結果に基づき、対応するユーザに設定された表示モード及び／または視野角を前記登録手段から取得し、前記表示手段に前記取得した表示モード及び／または視野角で前記画面を表示することを特徴としている。
【００１５】
本発明によれば、表示手段の表示形態を、認証手段により認証を行ったユーザごとに、各ユーザの個性や性格等に応じて登録手段に設定登録された表示モード及び／または視野角で表示手段に画面を表示することができる。これにより、自己の好みの表示形態で継続的に表示手段の表示を行うことができるので、ユーザの利便性を一層高めることができる。例えば、視野角を狭くすることで秘匿性を高めることができる。
【００１６】
また、本発明の表示装置によれば、前記表示モードがマルチビュー表示モードである場合において、前記複数の視野角方向のうち中央部の視野角方向の画面に重要度の高い情報または秘匿性の高い情報の画面を表示し、前記中央部の視野角方向以外の視野角方向の画面には、前記中央部の視野角方向の画面の表示情報と異なる情報の画面を表示する構成とすることができる。
【００１７】
このような構成によれば、表示装置の正面に立って操作中のユーザにとって重要度の高い情報または秘匿性の高い情報を中央部の画面に表示するので、画面に表示している情報の保護を図ることができ、セキュリティ性が向上する。
【００１８】
また、本発明の表示装置によれば、前記中央部の視野角方向の画面を表示する視野角は、前記中央部の視野角方向の画面以外の視野角方向の画面を表示する視野角よりも狭く設定した構成とすることができる。
【００１９】
このような構成によれば、表示装置の正面に立って操作中のユーザにとって重要度の高い情報または秘匿性の高い情報については、視野角を狭くなるように制限することによって、画面に表示している情報の保護を図ることができ、セキュリティ性が向上する。
【００２０】
また、本発明の表示装置によれば、前記認証手段によるユーザ認証の結果に基づいて、前記登録手段に登録されている当該ユーザの登録内容を設定変更する設定変更手段を備えた構成とすることができる。
【００２１】
このような構成によれば、普段は各ユーザの好みの表示形態で継続的に表示することができ、特別に重要度や秘匿性の高い書類を表示するときだけ、設定変更手段によって例えば視野角を狭く設定することで、画面の表示内容を隠蔽することができ、これにより情報の保護を図ることができ、ユーザの利便性を一層高めることができる。
【００２２】
また、本発明の表示装置によれば、前記視野角制御手段は、前記画面の視野角を複数段階に変更自在とされており、前記登録手段には、ユーザごとに一つの段階の視野角が登録された構成とすることができる。
【００２３】
このような構成によれば、視野角を例えば広、中、狭の３段階とすることで、ユーザは所望の視野角を容易に設定することができ、設定登録された視野角に対応した画面を表示パネルに容易に表示することができる。
【００２４】
また、本発明の画像形成装置は、上記各構成の表示装置と、前記表示手段に表示させる各種情報を入力する入力手段と、前記入力手段から入力された情報に基づいて用紙に画像を形成する画像形成手段と、を備えたことを特徴としている。
【００２５】
本発明によれば、表示手段の表示形態を、認証手段により認証を行ったユーザごとに、各ユーザの個性や性格等に応じて登録手段に設定登録された表示モード及び／または視野角で表示手段に画面を表示することができる。これにより、自己の好みの表示形態で継続的に表示手段の表示を行うことができ、ユーザの利便性を一層高めた画像形成装置を提供することができる。
【発明の効果】
【００２６】
本発明は上記のように構成したので、表示手段の表示形態を、認証手段により認証を行ったユーザごとに、各ユーザの個性や性格等に応じて登録手段に設定登録された表示モード及び／または視野角で表示手段に画面を表示することができる。これにより、自己の好みの表示形態で継続的に表示手段の表示を行うことができるので、ユーザの利便性を一層高めることができる。例えば、視野角を狭くすることで秘匿性を高めることができる。
【図面の簡単な説明】
【００２７】
【図１】本発明の実施の形態に係る表示装置を搭載した画像形成装置の外観図である。
【図２】操作パネル部の外観図である。
【図３】マルチビュー表示モードで表示する場合の説明図である。
【図４】本発明の実施の形態に係る画像形成装置のブロック構成図である。
【図５】装置制御部と操作パネル部との間の電気的構成を示すブロック図である。
【図６】表示モード登録テーブルの設定内容を示す説明図である。
【図７】視野角登録テーブルの設定内容を示す説明図である。
【図８】（ａ）〜（ｃ）は、１画面表示（シングルビュー表示）の場合の視野角の説明図である。
【図９】（ａ）〜（ｃ）は、３画面表示（マルチビュー表示）の場合の視野角の説明図である。
【図１０】設定変更画面の説明図である。
【図１１】表示モードの変更処理を説明するためのフローチャートである。
【図１２】視野角の変更処理を説明するためのフローチャートである。
【発明を実施するための形態】
【００２８】
以下、本発明の実施の形態について、図面を参照して説明する。
【００２９】
図１は、本発明の実施の形態に係る表示装置を搭載した画像形成装置の外観図である。
【００３０】
本実施の形態の画像形成装置１は、装置本体１ａの前方部に操作部（操作パネル部）２が設けられ、この操作パネル部２に、液晶パネルからなる表示部（表示手段）３、操作キー４、コピースタートキー５等が設けられている。
【００３１】
図２は、操作パネル部２の外観図であり、表示部３の表示画面３ａには初期画面が表示されている。また、操作キー４は、画像形成装置１を操作するためのテンキー４ａを含んでいる。なお、操作キー４は、操作パネル部２の必須の構成要素ではなく、操作キー４を備えない操作パネル部であってもよい。この場合には、表示部３の表示画面３ａ上に操作キーの代わりとなるタッチパネル３３（図５参照）を配置すればよい。
【００３２】
表示部３には、視野角を制御でき、かつ、シングルビュー表示モードとマルチビュー表示モードとを切り替え可能なマルチビュー液晶表示装置が使用される。通常は、ＴＦＴ液晶ディスプレイ上にスイッチ液晶を設け、その液晶分子の複屈折を応用してバックライトからの光を制御する。具体的には、正面方向へはそのまま光を通し、左右への光はスイッチ液晶により遮蔽する構成としている。
【００３３】
ここで、シングルビュー表示モードとは、表示部３に対して左右上下等の全視野角方向に同一画像（同一情報）を共通に表示する表示モードのことである。また、マルチビュー表示モードとは、表示部３に対して複数の視野角方向（例えば、図２の矢符Ｒ，Ｃ，Ｌで示す方向）にそれぞれ個別の画像（情報）を同時に表示可能な表示モードのことである。
【００３４】
図３は、マルチビュー表示モードで表示する場合の説明図である。
【００３５】
マルチビュー表示モードでは、表示画面３ａの表示視野を操作部前方区画とその片側または両側の区画を含む複数区画（この例では３区画）に分離し、それぞれの区画に対応する表示情報を異なった情報（以下、画像ともいう。）とするモードである。
【００３６】
すなわち、マルチビュー液晶表示装置は、表示素子をコラム方向（列方向）に分離し、コラム毎に表示する画像を選択するようになっている。例えば、コラムをＡ，Ｂ，Ｄの繰り返しとし、コラムＡ（視野角方向Ｌ）のグループには第１の画像を表示し、コラムＢ（視野角方向Ｃ）のグループには第２の画像を表示し、コラムＤ（視野角方向Ｒ）のグループには第３の画像を表示する。コラム毎の表示区画を設定するには、マルチビュー液晶表示装置の表示画面３ａに透過部・非透過部が交互となる視差バリアを設け、この視野バリアにより液晶バックライトの光を左右に振り分ければよい。図３はこの状態を示している。すなわち、画像形成装置１の操作部前方区画（視野角方向Ｃ）には、コラムＢに割り当てられている画像が表示され、操作部前方区画の左側の区画（視野角方向Ｌ）にはコラムＡに割り当てられている画像が表示され、操作部前方区画の右側の区画（視野角方向Ｒ）にはコラムＤに割り当てられている画像が表示されている。
【００３７】
なお、マルチビュー表示モードで表示する場合、本実施の形態では、複数の視野角方向のうち中央部の視野角方向Ｃの画面（コラムＢ）に重要度の高い情報または秘匿性の高い情報を表示し、中央部の視野角方向Ｃ以外の視野角方向Ｌ，Ｒ（コラムＡ，コラムＤ）の画面には、中央部の視野角方向Ｃの画面の表示情報と異なる情報（重要度や秘匿性の低い情報）の画面を表示する構成とする。このような表示を行わせる一つの手法としては、表示する各情報に重要度を示す情報（例えば、重要度「高」、「中」、「低」等を示す情報）を対応付けておき、表示する際にこの情報を参照することで、重要度の高い情報を中央部に表示するようにすればよい。
【００３８】
このような構成によれば、画像形成装置１の正面に立って操作中のユーザにとって重要度の高い情報または秘匿性の高い情報を中央部の画面に表示するので、画面に表示している情報の保護を図ることができ、セキュリティ性が向上する。
【００３９】
なお、図２及び図３では、複数の視野角方向を、表示部３の表示画面３ａに対して右側（Ｒ）、左側（Ｌ）、左右方向中央部（Ｃ）としてそれぞれ示しているが、この方向に限定されるものではなく、例えば表示画面３ａに対して上側、下側、上下方向中央部であってもよい。ただし、図２では、シングルビュー表示モードによって初期画面が表示されている状態を例示している。
【００４０】
図４は、本実施の形態の画像形成装置１のブロック構成図である。
【００４１】
本実施の形態の画像形成装置１は、通信ネットワークを介して外部装置と接続される。図示例では、画像形成装置１は、ＬＡＮ１２またはインターネット網１４を介してＰＣ等の情報処理装置１３ａ〜１３ｃやファクシミリ装置１５と接続され、電話回線網１６を介してファクシミリ装置１７と接続されており、各装置間で画像データ等の各種データの送受信が可能となっている。
【００４２】
画像形成装置１は、表示部３とテンキー等から構成される操作キー４を備えた操作パネル部２、原稿を読み取る原稿読取部２４、原稿読取部２４にて読み取った原稿を印刷する画像形成部２５、各種データを記録するＨＤＤ（Ｈａｒｄ Ｄｉｓｋ Ｄｒｉｖｅ）２６、ファクシミリ装置１７との通信処理を行うＦＡＸモデム２７、情報処理装置１３及びファクシミリ装置１５との通信処理を行うＮＩＣ（Ｎｅｔｗｏｒｋ Ｉｎｔｅｒｆａｃｅ Ｃａｒｄ）２８、各機能ブロックを制御する装置制御部２９等から構成されている。
【００４３】
原稿読取部２４は、プラテンガラス（図示省略）に載せられた原稿、または、自動原稿送り装置（図示省略）を用いて搬送される原稿を画像データとして取り込むためのＣＣＤ２４ａや、自動原稿送り装置にセットされた原稿を検知する原稿検知センサ２４ｂ等を備え、読み取った原稿から原稿画像データを生成し、画像形成部２５に出力する。
【００４４】
画像形成部２５は、原稿読取部２４が出力した原稿画像データをメモリ２５ａに一時的に記憶し、記憶した原稿画像データを印字部（ＬＳＵ）２５ｂにて印刷する。なお、メモリ２５ａに一時的に記憶した原稿画像データを圧縮してＨＤＤ２６に記録し、当該記録した原稿画像データを伸張して、メモリ２５ａに戻し、印字部２５ｂにて印刷してもよい。
【００４５】
ＨＤＤ２６は、各種データ、例えば、前述した初期画面等のＯＳＤデータ、原稿読取部２４で読み取った原稿画像データや情報処理装置１３ａ〜１３ｃ、ファクシミリ装置１５から受信したデータを記録する。
【００４６】
ＦＡＸモデム２７は、電話回線網１６に対してのインターフェイス機能を提供し、ファクシミリ装置１７との通信処理を行う。
【００４７】
ＮＩＣ２８は、ＬＡＮ１２に対してのインターフェイス機能を提供し、情報処理装置１３ａ〜１３ｃ、ファクシミリ装置１５との通信処理を行う。
【００４８】
装置制御部２９は、装置全体の制御を行う。
【００４９】
図５は、装置制御部２９と操作パネル部２との間の電気的構成を示すブロック図である。
【００５０】
操作パネル部２は、表示部３の表示画面３ａを構成する液晶パネル３２を制御する液晶表示コントローラ３１、液晶パネル３２の上に配置されたタッチパネル３３、タッチパネル３３のタッチ位置を検出するタッチ位置検出部３４等を含んで構成されており、操作キー４の出力とタッチ位置検出部３４の出力とが装置制御部２９に接続されている。
【００５１】
装置制御部２９は、従来の制御機能に加え、表示部３の表示画面３ａである液晶パネル３２の視野角を制御する視野角制御部２９ａと、シングルビュー表示モードとマルチビュー表示モードとの切り替えを制御する表示モード制御部２９ｂと、ユーザ認証を行う認証部２９ｃとを備えている。
【００５２】
また、装置制御部２９には、後述する視野角の登録テーブル（以下、視野角登録テーブルという。）及び表示モードの登録テーブル（以下、表示モード登録テーブルという。）が格納された記憶部３５が接続されている。
【００５３】
視野角制御部２９ａは、記憶部３５に格納されている視野角登録テーブルの登録内容に基づいて表示画面の視野角を制御する。表示モード制御部２９ｂは、記憶部３５に格納されている表示モード登録テーブルの登録内容に基づいて表示モードを制御する。
【００５４】
認証部２９ｃは、カード認証やパスワード認証、生体認証等、様々な認証方法により認証処理を実行する。例えば、カード認証は、個人が持っている認証番号が登録されたカードを、装置に設けられているコード読取装置にかざすことによって認証を行う方法であり、パスワード認証は、画面に表示されたパスワードの入力画面に、予め登録しておいた個人のパスワードを入力して行う方法である。また、生体認証とは、指紋や静脈のパターン等を、予め登録しておいた個人の指紋や静脈のパターン等と照合して行う方法である。
【００５５】
装置制御部２９は、認証部２９ｃによる認証情報と、記憶部３５に格納されている表示モード登録テーブルに登録されているユーザごとの画面表示モードの設定に関する情報、または、記憶部３５に格納されている視野角登録テーブルに登録されているユーザごとの視野角の設定に関する情報とを照合し、液晶パネル３２の表示モードを変更、または液晶パネル３２の視野角を変更する。
【００５６】
図６は、記憶部３５に格納されている表示モード登録テーブルＴ１の設定内容を示している。
【００５７】
表示モード登録テーブルＴ１は、ユーザ名、認証コード、表示モードの各項目からなっている。例えば、ユーザＡは、認証コードが「０１２３４５」であり、表示モードは「シングル」となっている。つまり、ユーザＡが画像形成装置１の前に立って認証を行った場合、表示部３の表示画面３ａは、図２に示すような１画面表示（シングルビュー表示）となる。また、ユーザＢが画像形成装置１の前に立って認証を行った場合、表示部３の表示画面３ａは、図３に示すようなコラムＡ，Ｂ，Ｄの３画面表示（マルチビュー表示）となる。
【００５８】
図７は、記憶部３５に格納されている視野角登録テーブルＴ２の設定内容を示している。
【００５９】
視野角登録テーブルＴ２は、ユーザ名、認証コード、視野角の各項目からなっている。例えば、ユーザＡは、認証コードが「０１２３４５」であり、視野角が「狭」となっている。また、ユーザＢは、認証コードが「０１２３４６」であり、視野角が「広」となっている。また、ユーザＣは、認証コードが「０１２３４７」であり、視野角が「中」となっている。
【００６０】
ここで、設定された視野角の「狭」、「中」、「広」について説明する。
【００６１】
図８は、１画面表示（シングルビュー表示）の場合の視野角の説明図である。
【００６２】
視野角「狭」とは、視認できる範囲が、図８（ａ）に斜線を付して示す範囲のことであり、ユーザｂの位置からは画面に表示された画像Ｐが視認できるが、他のユーザａ，ｄの位置からは画像Ｐが視認できない状態をいう。また、視野角「広」とは、視認できる範囲が、図８（ｃ）に斜線を付して示す範囲のことであり、全てのユーザａ，ｂ，ｄの位置から画面に表示された画像Ｐが視認できる表示状態をいう。また、視野角「中」とは、視認できる範囲が、図８（ｂ）に斜線を付して示す範囲のことであり、ユーザｂの位置から画面に表示された画像Ｐが視認できるが、他のユーザａ，ｄの位置では画面に表示された画像Ｐが視認できるかできないかのぎりぎりの表示状態をいう。
【００６３】
また、図９は、３画面表示（マルチビュー表示）の場合の視野角の説明図である。
【００６４】
この場合、視野角登録テーブルＴ２に設定された視野角は、図２及び図３に示す左右方向の中央部である視野角方向Ｃから視認した場合の視野角（図９中、斜線を付して示す。）である。
【００６５】
従って、視野角登録テーブルＴ２に設定された視野角が「狭」という場合には、表示部３の表示画面３ａは、図９（ａ）に示すように、視野角方向Ｃの視野角が狭い範囲（視野角θ１）となり、その両側の視野角方向Ｒ，Ｌの視野角が比較的広い範囲（視野角θ１１）の３画面表示（マルチビュー表示）となる。
【００６６】
すなわち、視野角を「狭」に設定した場合には、視野角方向Ｃの画面を表示する視野角θ１は、視野角方向Ｃの画面以外の視野角方向Ｒ，Ｌの画面を表示する視野角θ１１よりも狭くなるように設定される。このような設定とすれば、画像形成装置１の正面に立って操作中のユーザにとって重要度の高い情報または秘匿性の高い情報の表示については、視野角を狭くなるように制限することができるため、画面中央部に表示している情報の保護を図ることができる。すなわち、セキュリティ性を向上させることができる。
【００６７】
また、視野角登録テーブルＴ２に設定された視野角「広」という場合には、表示部３の表示画面３ａは、図９（ｃ）に示すように、視野角方向Ｃの視野角が非常に広い範囲（視野角θ３）となり、その両側の視野角方向Ｒ，Ｌの視野角が非常に狭い範囲（視野角θ３１）の３画面表示（マルチビュー表示）となる。
【００６８】
また、視野角登録テーブルＴ２に設定された視野角「中」という場合には、表示部３の表示画面３ａは、図９（ｂ）に示すように、視野角方向Ｃの視野角が、図９（ａ）に示す視野角θ１よりも広く、かつ、図９（ｃ）に示す視野角θ３よりも狭い範囲（視野角θ２）となり、その両側の視野角方向Ｒ，Ｌの視野角は、図９（ａ）に示す視野角θ１１よりも広く、かつ、図９（ｃ）に示す視野角θ３１よりも狭い範囲（視野角θ２１）の３画面表示（マルチビュー表示）となる。
【００６９】
なお、本実施の形態では、図６に示した表示モード登録テーブルＴ１の設定内容、及び図７に示した視野角登録テーブルＴ２の設定内容は、操作パネル部２からの入力操作によって適宜設定変更可能となっている。操作パネル部２からの設定変更操作としては、例えば図２に示す初期画面上に設定変更ボタン（図示省略）を予め表示しておき、画像形成装置１の前に立ったユーザが、認証処理を行った後、画面上の設定変更ボタン（設定変更手段）を操作することで、例えば図１０に示す設定変更画面５０に移行するように構成すればよい。この設定変更画面５０には、例えばユーザＡが認証を行った場合には、認証を行ったユーザ名［Ａ］と認証コード［０１２３４５］とが上部に表示され、その下に現在設定されている表示モードの表示欄５１と視野角の表示欄５２とが表示されている。この例では、表示モードの表示欄５１には［シングル］と表示され、視野角の表示欄５２には「狭」と表示されている。ユーザは、表示欄５１の右横の下キーを操作することで全ての表示モードが表示されるので、その中から、今回変更しようとする表示モードを選択する。同様に、表示欄５２の右横の下キーを操作することで全ての視野角が表示されるので、その中から今回変更しようとする視野角を選択する。これにより、各表示欄５１，５２には、選択した表示モードと視野角とが表示されるので、ユーザはその変更内容を確認した後、画面右下の「決定」ボタン５３を押す。これにより、表示モード登録テーブルＴ１と視野角登録テーブルＴ２の設定内容が変更内容に書き換えられるようになっている。
【００７０】
このように、表示モード登録テーブルＴ１及び視野角登録テーブルＴ２に予め登録しておいた設定内容を、その後、ユーザの意志によって自由に設定変更できるようにすることで、ユーザの利便性を高めることができる。すなわち、普段はユーザの好みの表示形態で継続的に表示することができ、特別に重要度や秘匿性の高い書類を表示するときだけ、設定変更画面５０によって視野角を例えば狭く設定することで、表示画面３ａの表示内容を隠蔽することができ、これにより情報の保護を図ることができるため、ユーザの利便性を一層高めることができる。
【００７１】
次に、上記構成の画像形成装置１において、任意のユーザが自己認証を行って当該装置を使用する場合の、表示画面の表示モードの変更処理と、視野角の変更処理とについて説明する。
【００７２】
（１）表示モードの変更処理の説明
図１１は、表示モードの変更処理を説明するためのフローチャートである。
【００７３】
電源オン状態の画像形成装置１は、表示部３の表示画面３ａに初期画面を表示した状態（図２に示す状態）、若しくは、表示を消したスリープモード等の待機状態となっている（ステップＳ１１１）。
【００７４】
この状態において、画像形成装置１の前に立った任意のユーザが、操作パネル部２を操作してユーザ認証を行うと（ステップＳ１１２）、認証部２９ｃは、カード認証やパスワード認証、生体認証等、予め設定されている認証方法によりユーザ認証を行う（ステップＳ１１３）。
【００７５】
その結果、ユーザが認証されなかった場合、すなわち、表示モード登録テーブルＴ１に登録されているユーザの認証コードと一致しなかった場合（ステップＳ１１３でＮｏと判断された場合）には、装置にデフォルトで設定されている表示モードで表示部３の表示画面３ａに情報を表示する（ステップＳ１１４）。すなわち、この場合には、誰もが使うことを想定した従来通りの通常表示となる。
【００７６】
一方、ユーザが認証された場合、すなわち、表示モード登録テーブルＴ１に登録されているユーザの認証コードと一致した場合（ステップＳ１１３でＹｅｓと判断された場合）には、次に装置制御部２９は、ユーザからの設定変更の要求があったか否かを確認する（ステップＳ１１５）。すなわち、表示部３の初期画面に表示された設定変更ボタンが操作されたか否かを確認する。
【００７７】
その結果、設定変更ボタンが操作されていない場合（ステップＳ１１５でＮｏと判断された場合）には、記憶部３５に格納されている表示モード登録テーブルＴ１を参照して、認証された個人の認証コードに設定されている表示モードを読み出し、その設定内容を表示部３の表示画面３ａに表示して（ステップＳ１１６）、ユーザによる適否の確認待ちとなる（ステップＳ１１７）。そして、その表示内容を目視により確認したユーザが操作パネル部２の図示しない確認ボタンを操作することにより、確認信号を装置制御部２９が受け取ると（ステップＳ１１７でＹｅｓと判断されると）、表示モード制御部２９ｂは、読み出した表示モードに変更する指示を液晶表示コントローラ３１に出力し（ステップＳ１１８）、液晶表示コントローラ３１は、受け取った指示内容に従って、表示部３の表示画面３ａの表示形態（液晶パネル３２の表示形態）を変更する（ステップＳ１１９）。
【００７８】
具体的には、画像形成装置１の前に立ったユーザＢが、操作パネル部２を操作してユーザ認証を行った場合には、表示モード登録テーブルＴ１の設定内容から、ユーザＢに設定されている表示モードは「マルチ」となっているので、表示モード制御部２９ｂは、液晶表示コントローラ３１を制御して表示画面３ａの液晶パネル３２を制御し、それまでの１画面表示（シングルビュー表示）から図３に示す３画面表示（マルチビュー表示）に変更する。
【００７９】
一方、ステップＳ１１５において、設定変更の要求があった場合（ステップＳ１１５でＹｅｓと判断された場合）には、図１０に示す設定変更画面５０を表示し（ステップＳ１２０）、ユーザがその設定変更画面５０から表示モードを選択入力して設定変更ボタンを操作すると（ステップＳ１２１）、表示モード制御部２９ｂは、選択入力された表示モードの変更指示を液晶表示コントローラ３１に出力し（ステップＳ１２２）、液晶表示コントローラ３１は、この変更指示に従って、液晶パネル３２の表示形態を変更する。例えば、表示モード登録テーブルＴ１に登録されている「シングル」から「マルチ」に変更された場合には、液晶パネル３２の表示形態を図３に示す３画面表示（マルチビュー表示）に変更する（ステップＳ１２３）。
【００８０】
この後、装置制御部２９は、設定変更画面５０からの変更指示に従い、表示モード登録テーブルＴ１の該当する認証コードの表示モードを、変更指示された表示モードに上書きして記憶する（ステップＳ１２４）。例えば、ユーザＡが設定変更画面５０から表示モードを「マルチ」に変更した場合には、図６に示す表示モード登録テーブルＴ１のユーザ名［Ａ］、認証コード［０１２３４５］に該当する表示モードの項目欄を、それまでの「シングル」から「マルチ」に書き換える。これにより、以後、ユーザＡが画像形成装置１を使用する場合には、再度、設定変更画面５０から表示モードの選択入力（設定変更）を行わない限り、表示部３の表示画面３ａは常に３画面表示（マルチビュー表示）されることになる。
【００８１】
（２）視野角の変更処理の説明
図１２は、視野角の変更処理を説明するためのフローチャートである。
【００８２】
電源オン状態の画像形成装置１は、表示部３の表示画面３ａに初期画面を表示した状態（図２に示す状態）、若しくは、表示を消したスリープモード等の待機状態となっている（ステップＳ２１１）。
【００８３】
この状態において、画像形成装置１の前に立った任意のユーザが、操作パネル部２を操作してユーザ認証を行うと（ステップＳ２１２）、認証部２９ｃは、カード認証やパスワード認証、生体認証等、予め設定されている認証方法によりユーザ認証を行う（ステップＳ２１３）。
【００８４】
その結果、ユーザが認証されなかった場合、すなわち、視野角登録テーブルＴ２に登録されているユーザの認証コードと一致しなかった場合（ステップＳ２１３でＮｏと判断された場合）には、装置にデフォルトで設定されている視野角で、表示部３の表示画面３ａに情報を表示する（ステップＳ２１４）。
【００８５】
一方、ユーザが認証された場合、すなわち、視野角登録テーブルＴ２に登録されているユーザの認証コードと一致した場合（ステップＳ２１３でＹｅｓと判断された場合）には、次に装置制御部２９は、ユーザからの設定変更の要求があったか否かを確認する（ステップＳ２１５）。すなわち、表示部３の初期画面に表示された設定変更ボタンが操作されたか否かを確認する。
【００８６】
その結果、設定変更ボタンが操作されていない場合（ステップＳ２１５でＮｏと判断された場合）には、記憶部３５に格納されている視野角登録テーブルＴ２を参照して、認証された個人の認証コードに設定されている視野角を読み出し、その設定内容を表示部３の表示画面３ａに表示して（ステップＳ２１６）、ユーザによる適否の確認待ちとなる（ステップＳ２１７）。そして、その表示内容を目視により確認したユーザが操作パネル部２の図示しない確認ボタンを操作することにより、確認信号を装置制御部２９が受け取ると（ステップＳ２１７でＹｅｓと判断されると）、視野角制御部２９ａは、読み出した視野角に変更する指示を液晶表示コントローラ３１に出力し（ステップＳ２１８）、液晶表示コントローラ３１は、受け取った指示内容に従って、表示部３の表示画面３ａ（液晶パネル３２）の視野角を変更する（ステップＳ２１９）。
【００８７】
具体的には、画像形成装置１の前に立ったユーザＢが、操作パネル部２を操作してユーザ認証を行った場合には、表示モード登録テーブルＴ１の設定内容から、ユーザＢに設定されている表示モードは「マルチ」であり、視野角登録テーブルＴ２の設定内容から、ユーザＢに設定されている視野角は「広」となっているので、装置制御部２９（表示モード制御部２９ａ及び視野角モード制御部２９ｂ）は、液晶表示コントローラ３１を制御して表示画面３ａの液晶パネル３２を制御し、表示モードと視野角を図９（ｃ）に示す３画面表示（マルチビュー表示）の視野角に変更する。
【００８８】
また、画像形成装置１の前に立ったユーザＸが、操作パネル部２を操作してユーザ認証を行った場合には、表示モード登録テーブルＴ１の設定内容から、ユーザＸに設定されている表示モードは「マルチ」であり、視野角登録テーブルＴ２の設定内容から、ユーザＸに設定されている視野角は「狭」となっているので、装置制御部２９（表示モード制御部２９ａ及び視野角モード制御部２９ｂ）は、液晶表示コントローラ３１を制御して表示画面３ａの液晶パネル３２を制御し、表示モードと視野角を図９（ａ）に示す３画面表示（マルチビュー表示）の視野角に変更する。
【００８９】
一方、ステップＳ２１５において、設定変更の要求があった場合（ステップＳ２１５でＹｅｓと判断された場合）には、図１０に示す設定変更画面５０を表示し（ステップＳ２２０）、ユーザがその設定変更画面５０から視野角を選択入力して設定変更ボタンを操作すると（ステップＳ２２１）、視野角制御部２９ａは、選択入力された視野角への変更指示を液晶表示コントローラ３１に出力し（ステップＳ２２２）、液晶表示コントローラ３１は、この変更指示に従って、液晶パネル３２の視野角を変更する。例えば、１画面表示（シングルビュー表示）の場合において、視野角登録テーブルＴ２に登録されている視野角が「広」であり、設定変更画面５０で選択入力された視野角が「狭」である場合には、液晶パネル３２の視野角を、図８（ｃ）に示す視野角の範囲から、図８（ａ）に示す視野角の範囲に変更する（ステップＳ２２３）。
【００９０】
この後、装置制御部２９は、設定変更画面５０からの変更指示に従い、視野角登録テーブルＴ２の該当する認証コードの視野角を、変更指示された視野角に上書きして記憶する（ステップＳ２２４）。これにより、以後、同じユーザが画像形成装置１を使用する場合には、再度、設定変更画面５０から視野角の選択入力（設定変更）を行わない限り、表示部３の表示画面３ａは常に図８（ａ）に示す視野角の範囲で表示されることになる。
【００９１】
なお、上記説明では、表示モードの変更処理と、視野角の変更処理とを分けて説明しているが、実際には、表示モードの変更処理と視野角の変更処理とは同時に並行して行われる。すなわち、表示モードと視野角とが組み合わされて同時に変更処理されることになる。
【００９２】
なお、今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００９３】
１  画像形成装置
１ａ  装置本体
２  操作パネル部（操作部）
３  表示部（表示手段）
３ａ  表示画面
４  操作キー
４ａ  テンキー
５  コピースタートキー
１２  ＬＡＮ
１３ａ〜１３ｃ  情報処理装置
１４  インターネット網
１５  ファクシミリ装置
１６  電話回線網
１７  ファクシミリ装置
２４  原稿読取部
２４ａ  ＣＣＤ
２４ｂ  原稿検知センサ
２５  画像形成部
２５ａ  メモリ
２５ｂ  印字部（ＬＳＵ）
２６  ＨＤＤ（Ｈａｒｄ Ｄｉｓｋ Ｄｒｉｖｅ）
２７  ＦＡＸモデム
２８  ＮＩＣ（Ｎｅｔｗｏｒｋ Ｉｎｔｅｒｆａｃｅ Ｃａｒｄ）
２９  装置制御部
２９ａ  視野角制御部（視野角制御手段）
２９ｂ  表示モード制御部
２９ｃ  認証部（認証手段）
３１  液晶表示コントローラ
３２  液晶パネル（表示手段）
３３  タッチパネル
３４  タッチ位置検出部
３５  記憶部
５０  設定変更画面（設定変更手段）
Ｔ１  表示モード登録テーブル（登録手段）
Ｔ２  視野角登録テーブル（登録手段）
【図１】
2013120373.tif 000003
【図２】
2013120373.tif 000004
【図３】
2013120373.tif 000005
【図４】
2013120373.tif 000006
【図５】
2013120373.tif 000007
【図６】
2013120373.tif 000008
【図７】
2013120373.tif 000009
【図８】
2013120373.tif 000010
【図９】
2013120373.tif 000011
【図１０】
2013120373.tif 000012
【図１１】
2013120373.tif 000013
【図１２】
2013120373.tif 000014